(57)【要約】      （修正有）【課題】簡単な構造を有し、ヴォーカル音入りの楽曲のモノラルソースからヴォーカル音を消した態様で容易に当該楽曲を聴くことができるヴォーカルキャンセリング機能付きヘッドフォンを提供する。【解決手段】Ｌチャンネル端子６ａ及び前記Ｌチャンネル端子に接続されたＬチャンネル線と、Ｒチャンネル端子６ｂ及び前記Ｒチャンネル端子に接続されたＲチャンネル線と、グラウンド端子６ｇ及び前記グラウンド端子に接続されたグラウンド線と、前記Ｌチャンネル端子、前記Ｒチャンネル端子及び前記グラウンド端子が同軸上に形成されたプラグ８ｐと、を有し、前記グラウンド線が切断されていること、を特徴とするヴォーカルキャンセリング機能付きヘッドフォン。【選択図】図２
0003179487.tif 000002
【実用新案登録請求の範囲】
【請求項１】
Ｌチャンネル端子及び前記Ｌチャンネル端子に接続されたＬチャンネル線と、
Ｒチャンネル端子及び前記Ｒチャンネル端子に接続されたＲチャンネル線と、
グラウンド端子及び前記グラウンド端子に接続されたグラウンド線と、
前記Ｌチャンネル端子、前記Ｒチャンネル端子及び前記グラウンド端子が同軸上に形成されたプラグと、を有し、
前記グラウンド線が切断されていること、
を特徴とするヴォーカルキャンセリング機能付きヘッドフォン。
【請求項２】
Ｌチャンネル端子及び前記Ｌチャンネル端子に接続されたＬチャンネル線と、
Ｒチャンネル端子及び前記Ｒチャンネル端子に接続されたＲチャンネル線と、
グラウンド端子及び前記グラウンド端子に接続されたグラウンド線と、
前記Ｌチャンネル端子、前記Ｒチャンネル端子及び前記グラウンド端子が同軸上に形成されたプラグと、
前記プラグに着脱自在に接続される変換プラグと、を有し、
前記変換プラグ内におけるグラウンド線が切断されていること、
を特徴とするヴォーカルキャンセリング機能付きヘッドフォン。
【考案の詳細な説明】
【技術分野】
【０００１】
本考案は、新規な構造を有するヴォーカルキャンセリング機能付きヘッドフォンに関する。
【背景技術】
【０００２】
図１は、従来のステレオ機器２とヘッドフォン４との接続の様子を概念的に示す模式図である。図１に示すように、ステレオ機器（本体）２には、Ｌ（左）チャンネル側のＬ側アンプに繋がるＬチャンネル端子２ａと、それぞれＲ（右）チャンネル側のＲ側アンプに繋がるＲチャンネル端子２ｂと、グラウンド端子２ｇとが含まれている。
【０００３】
他方、ヘッドフォン４には、Ｌチャンネル端子４ａ、Ｒチャンネル端子４ｂ及びグラウンド端子４ｇが同軸上に形成されたプラグ４ｐが接続されており、ステレオ機器２側のＲチャンネル端子２ａ、Ｌチャンネル端子２ｂ及びグラウンド端子２ｇが、それぞれヘッドフォン４側のＬチャンネル端子４ａ、Ｒチャンネル端子４ｂ及びグラウンド端子４ｇに接続されて使用される。
【０００４】
ところで、コンパクトディスク（ＣＤ）やレコードに記録されているヴォーカル音入りの楽曲のうちの、いわゆるモノラル音源（ソース）においては、ヴォーカル音（成分）は、いわゆるセンターチャンネルとしてユーザーに聴こえるように、Ｌ側とＲ側とで位相差を設けて録音されている。この位相差があるからこそ、ヘッドフォン４を耳に装着したユーザーはステレオ機器２のＬ側アンプ及びＲ側アンプを経たヴォーカル音をセンターチャンネルとして聴くことができる。
【考案の概要】
【考案が解決しようとする課題】
【０００５】
ここで、上記のようなヴォーカル音入りの楽曲のモノラルソースからヴォーカル音のみを消すためには、例えば、楽器等の演奏とヴォーカル音とを別々のトラックに異なるチャンネルとして録音したソースを作成し、通常再生の場合は２チャンネルの信号を混合して出力し、ヴォーカル音を消したカラオケ対応の場合は演奏側のチャンネルの信号を選択できるように、複雑な構造のヴォーカルキャンセル回路が用いられていた。
【０００６】
そこで、本考案の目的は、簡単な構造を有し、ヴォーカル音入りの楽曲のモノラルソースからヴォーカル音を消した態様で容易に当該楽曲を聴くことができるヴォーカルキャンセリング機能付きヘッドフォンを提供することにある。
【課題を解決するための手段】
【０００７】
本考案者は、上記の課題を解決するために鋭意検討した結果、ヴォーカル音入りの楽曲のモノラルソースにおいては、Ｌ側アンプからのヴォーカル音（Ｌ側ヴォーカル成分）の位相と、Ｒ側アンプからのヴォーカル音（Ｒ側ヴォーカル成分）の位相とに、差（位相差）があることから、ヴォーカル音をセンターチャンネルとして聴くことができ、逆に、かかる位相差がなければ、Ｌ側ヴォーカル成分とＲ側ヴォーカル成分とが打ち消し合い、ヴォーカル音が聴こえないことを見出し、本考案を完成するに至った。
【０００８】
即ち、本考案は、
Ｌチャンネル端子及び前記Ｌチャンネル端子に接続されたＬチャンネル線と、
Ｒチャンネル端子及び前記Ｒチャンネル端子に接続されたＲチャンネル線と、
グラウンド端子及び前記グラウンド端子に接続されたグラウンド線と、
前記Ｌチャンネル端子、前記Ｒチャンネル端子及び前記グラウンド端子が同軸上に形成されたプラグと、を有し、
前記グラウンド線が切断されていること、
を特徴とするヴォーカルキャンセリング機能付きヘッドフォンに関する。
【０００９】
このような構成を有する本考案のヴォーカルキャンセリング機能付きヘッドフォンを用い、モノラルソースのヴォーカル音入りの楽曲を聴いた場合、グラウンド線が切断されていることから、Ｌチャンネル線にＲチャンネル線の信号が、Ｒチャンネル線にＬチャンネル線の信号が流れ、Ｌ側ヴォーカル成分の位相とＲ側ヴォーカル成分の位相が同じとなって打ち消し合い、よってユーザーにはヴォーカル音が聴こえないこととなる。
【００１０】
即ち、本考案のヴォーカルキャンセリング機能付きヘッドフォンによれば、簡単な構造で、モノラルソースのヴォーカル音入りの楽曲からヴォーカル音を消して聴くことができ、また、ヴォーカル音入りの楽曲がモノラルソースであるか否か（モノラルソースであるかステレオソースであるか）を検証することができる。
【００１１】
また、本考案は、
Ｌチャンネル端子及び前記Ｌチャンネル端子に接続されたＬチャンネル線と、
Ｒチャンネル端子及び前記Ｒチャンネル端子に接続されたＲチャンネル線と、
グラウンド端子及び前記グラウンド端子に接続されたグラウンド線と、
前記Ｌチャンネル端子、前記Ｒチャンネル端子及び前記グラウンド端子が同軸上に形成されたプラグと、
前記プラグに着脱自在に接続される変換プラグと、を有し、
前記変換プラグ内におけるグラウンド線が切断されていること、
を特徴とするヴォーカルキャンセリング機能付きヘッドフォンにも関する。
【００１２】
このような構成を有する本考案のヴォーカルキャンセリング機能付きヘッドフォンによれば、変換プラグの着脱（装着又は脱着）によって、モノラルソースのヴォーカル音入りの楽曲からヴォーカル音を消すか又はそのまま残して聴くことができ、また、ヴォーカル音入りの楽曲がモノラルソースであるか否か（モノラルソースであるかステレオソースであるか）を検証する機能を発揮したりしなかったりすることができる。
【考案の効果】
【００１３】
本考案によれば、簡単な構造を有し、ヴォーカル音入りの楽曲のモノラルソースからヴォーカル音を消した態様で容易に当該楽曲を聴くことができるヴォーカルキャンセリング機能付きヘッドフォンを提供することができる。
【図面の簡単な説明】
【００１４】
【図１】従来のステレオ機器２とヘッドフォン４との接続の様子を概念的に示す模式図である。
【図２】本考案の一実施形態においてステレオ機器６とヴォーカルキャンセリング機能付きヘッドフォン８との接続の様子を概念的に示す模式図である。
【図３】本考案の一実施形態に係るヴォーカルキャンセリング機能付きヘッドフォン８の概略斜視図である。
【考案を実施するための形態】
【００１５】
以下、図面を参照しながら本考案のヴォーカルキャンセリング機能付きヘッドフォンの一実施形態について説明するが、本考案はこれらのみに限定されるものではない。なお、以下の説明では、同一又は相当部分には同一符号を付し、重複する説明は省略することもある。また、図面は、本考案を概念的に説明するためのものであるから、理解容易のために、必要に応じて寸法、比又は数を誇張又は簡略化して表している場合もある。
【００１６】
図２は、本考案の一実施形態においてステレオ機器６とヴォーカルキャンセリング機能付きヘッドフォン８との接続の様子を概念的に示す模式図であり、図３は、本考案の一実施形態に係るヴォーカルキャンセリング機能付きヘッドフォン８の概略斜視図である。
【００１７】
図２に示すように、本実施形態のヴォーカルキャンセリング機能付きヘッドフォン８には、Ｌチャンネル端子８ａ、Ｒチャンネル端子８ｂ及びグラウンド端子８ｇが同軸上に形成されたプラグ８ｐが接続されており、ステレオ機器６側のＲチャンネル端子６ａ、Ｌチャンネル端子６ｂ及びグラウンド端子６ｇが、それぞれヘッドフォン８側のＬチャンネル端子８ａ、Ｒチャンネル端子８ｂ及びグラウンド端子８ｇに接続されて使用される。なお、図示しないが、ヘッドフォン８内には、Ｌチャンネル端子８ａに接続されるＬチャンネル線、Ｒチャンネル端子８ｂに接続されるＲチャンネル線及びグラウンド端子８ｇに接続されるグラウンド線が内臓されている。
【００１８】
そして、図２において矢印で示すような切断部分Ｘがグラウンド線に設けられ、グラウンド線が切断されていることから、Ｌチャンネル線にＲチャンネル線の信号が、Ｒチャンネル線にＬチャンネル線の信号が流れ、Ｌ側ヴォーカル成分の位相とＲ側ヴォーカル成分の位相が同じとなって打ち消し合い、よってヘッドフォン８を用いたユーザーにはヴォーカル音が聴こえないこととなる。
【００１９】
ここで、図２においては、グラウンド線の切断部分Ｘを、便宜上、プラグ８ｐとステレオ６とを繋ぐグラウンド線上に記載して説明したが、本実施形態における当該切断部分は、ヘッドフォン８のプラグ８ｐ、信号入力ケーブル１４（図３参照）、又はスピーカユニット１０１（図３参照）等の内部に設けられる。
【００２０】
次に、図３を用いて本実施形態のヘッドフォン８について詳細に説明する。ヘッドフォン８は、第１イヤピース１０、第２イヤピース１１、一対の伝導性ヘッドストリップ１２、１３、信号入力ケーブル１４、及びプラグ１５（８ｐ）を含む。
【００２１】
第１イヤピース１０及び第２イヤーピース１１は、それぞれスピーカユニット１０１及び１１１並びにイヤーマフ１０２及び１１２で構成され、第１イヤピース１０及び第２イヤーピース１１は、それぞれスピーカユニット１０１及び１１１を包んでいる。伝導性ヘッドストリップ１２及び１３は、例えば金属材料（好ましくは銅）で形成されており、イヤーマフ１０２及び１１２はプラスチック材料で形成されている。
【００２２】
更に、本実施形態のヘッドフォン８においては、信号入力ケーブル１４の第１端部１４１は第１イヤピース１０のスピーカユニット１０１に電気的に接続され、信号入力ケーブル１４の第２端部１４２はプラグ１５に接続されている。外部からの音声信号は、プラグ１５および信号入力ケーブル１４を通じてスピーカユニット１０１及び１１１に伝達される。
【００２３】
本実施形態によれば、第１イヤピース１０は、ユーザーの左耳で着用され、第２イヤピース１１は、ユーザーの右耳で着用される。もちろん、第１イヤピース１０は、代替として、ユーザーの右耳で着用されるのに対して、第２イヤピース１１はユーザーの左耳で着用されるように設計されてもよい。
【００２４】
伝導性ヘッドストリップ１２はアーチ形状として形成され、そこにおいてその２つの端部は、それぞれ、第１イヤピース１０のイヤーマフ１０２及び第２イヤピース１１のイヤーマフ１１２を通過して、２つのスピーカユニット１０１及び１１１に物理的かつ電気的に接続している。同様に、他の伝導性ヘッドストリップ１３も、２つのスピーカユニット１０１及び１１１に物理的かつ電気的に接続するその２つの端部を有する。このような配置によって、２つの第１イヤピース１０及び第２イヤピース１１は電気的に並列に接続している。更に、各々が絶縁層１２１及び１３１で形成されるように、２つの伝導性ヘッドストリップ１２及び１３は外部が絶縁処理材で覆われている。
【００２５】
このような本実施形態のヘッドフォン８においては、上記のように、ヘッドフォン８のプラグ１５、信号入力ケーブル１４、又はスピーカユニット１０１等の内部に、グラウンド線に切断部分が設けられている。したがって、本実施形態のヘッドフォン８を用いてモノラルソースのヴォーカル音入りの楽曲を聴いた場合、Ｌチャンネル線にＲチャンネル線の信号が、Ｒチャンネル線にＬチャンネル線の信号が流れ、Ｌ側ヴォーカル成分の位相とＲ側ヴォーカル成分の位相が同じとなって打ち消し合い、よってユーザーにはヴォーカル音が聴こえないこととなる。
【００２６】
即ち、本実施形態のヘッドフォン８によれば、簡単な構造で、モノラルソースのヴォーカル音入りの楽曲からヴォーカル音を消して聴くことができ、また、ヴォーカル音入りの楽曲がモノラルソースであるか否か（モノラルソースであるかステレオソースであるか）を検証することもできる。
【００２７】
≪変形例≫
上記実施形態においては、ヘッドフォン８のプラグ８ｐ（１５）、信号入力ケーブル１４、又はスピーカユニット１０１等の内部に設けられる態様について説明したが、図２に示すように、グラウンド線の切断部分Ｘを、プラグ８ｐとステレオ６とを繋ぐグラウンド線上に設けてもよい。
【００２８】
即ち、この場合、上記実施形態におけるヘッドフォン８のプラグ８ｐ（１５）の先端に着脱自在に接続される変換プラグを設け、ヘッドフォン８のプラグ８ｐ（１５）、信号入力ケーブル１４、又はスピーカユニット１０１等の内部ではなく、当該変換プラグ内におけるグラウンド線に切断部分を設ければよい。
【００２９】
したがって、当然にこの変換プラグにも、Ｌチャンネル端子及び前記Ｌチャンネル端子に接続されたＬチャンネル線と、Ｒチャンネル端子及び前記Ｒチャンネル端子に接続されたＲチャンネル線と、グラウンド端子及び前記グラウンド端子に接続されたグラウンド線と、を有し、前記Ｌチャンネル端子、前記Ｒチャンネル端子及び前記グラウンド端子が同軸上に形成されている構成を有するものである。
【００３０】
このような変形例によっても、モノラルソースのヴォーカル音入りの楽曲を聴いた場合、Ｌチャンネル線にＲチャンネル線の信号が、Ｒチャンネル線にＬチャンネル線の信号が流れ、Ｌ側ヴォーカル成分の位相とＲ側ヴォーカル成分の位相が同じとなって打ち消し合い、よってユーザーにはヴォーカル音が聴こえないこととなる。
【００３１】
即ち、本変形例によっても、簡単な構造で、モノラルソースのヴォーカル音入りの楽曲からヴォーカル音を消して聴くことができ、また、ヴォーカル音入りの楽曲がモノラルソースであるか否か（モノラルソースであるかステレオソースであるか）を検証することもできる。
【００３２】
以上、本考案のヴォーカルキャンセリング機能付きヘッドフォンの代表的な実施形態について説明したが、本考案はこれらのみに限定されるものではない。例えば、ヘッドフォンの構造については、図３に示す構造のものについて説明したが、グラウンド線に切断部分を有するものであれば、他の構成の構造については種々の変更が可能である。
【符号の説明】
【００３３】
２、６・・・ステレオ機器、
２ａ、６ａ・・・Ｌチャンネル端子、
２ｂ、６ｂ・・・Ｒチャンネル端子、
２ｇ、６ｇ・・・グラウンド端子、
４、８・・・ヘッドフォン、
４ａ、８ａ・・・Ｌチャンネル端子、
４ｂ、８ｂ・・・Ｒチャンネル端子、
４ｇ、８ｇ・・・グラウンド端子、
８ｐ、１５・・・プラグ、
１０・・・第１イヤピース、
１１・・・第２イヤピース、
１２・・・伝導性ヘッドストリップ、
１３・・・伝導性ヘッドストリップ、
１４・・・信号入力ケーブル、
１６・・・絶縁固定リブ、
１０１、１１１・・・スピーカユニット、
１０２、１１２・・・イヤーマフ、
１４１・・・第１端部、
１４２・・・第２端部。
【図１】
0003179487.tif 000003
【図２】
0003179487.tif 000004
【図３】
0003179487.tif 000005